(57)【要約】【課題】読影医が必要とする医用画像を医用画像表示装置に表示させること。【解決手段】本実施形態に係る医用画像表示装置１０４は、被検体に関する第１スライス厚を有する複数の医用画像のデータからなる第１画像群を記憶する画像記憶部３と、前記第１画像群から第２画像群を発生する画像群発生部９と、前記第２画像群に含まれる医用画像を表示する表示部１１とを具備し、前記第２画像群は、前記第１画像群よりも少ない枚数の医用画像からなり、前記第１スライス厚を有する少なくとも１枚の医用画像と前記第１スライス厚よりも厚い第２スライス厚を有する少なくとも１枚の医用画像とを含むこと、を特徴とする。【選択図】図２
2012040044.tif 000002
【特許請求の範囲】
【請求項１】
被検体に関する第１スライス厚を有する複数の医用画像のデータからなる第１画像群を記憶する画像記憶部と、
前記第１画像群から第２画像群を発生する画像群発生部と、
前記第２画像群に含まれる医用画像を表示する表示部とを具備し、
前記第２画像群は、前記第１画像群よりも少ない枚数の医用画像からなり、前記第１スライス厚を有する少なくとも１枚の医用画像と前記第１スライス厚よりも厚い第２スライス厚を有する少なくとも１枚の医用画像とを含むこと、
を特徴とする医用画像表示装置。
【請求項２】
前記第１画像群に含まれる医用画像に関する病症と前記病症が拡大する可能性のある範囲とを対応付けた対応表を記憶する対応表記憶部をさらに具備し、
前記第２画像群は、前記対応表上における前記病症に対応付けられている前記範囲に含まれるスライスに関する第１スライス厚を有する少なくとも１枚の医用画像と、前記範囲の外に含まれるスライスに関する前記第２スライス厚を有する少なくとも１枚の医用画像とからなること、
を特徴とする請求項１記載の医用画像表示装置。
【請求項３】
前記画像記憶部は、前記病症と関連付けて前記第２画像群を記憶すること、
を特徴とする請求項２記載の医用画像表示装置。
【請求項４】
前記画像記憶部は、前記第１画像群に含まれる医用画像の撮影時刻と異なる前記第１スライス厚を有する複数の医用画像のデータからなる第３画像群をさらに記憶し、
前記画像群発生部は、前記第３画像群から第４画像群を発生し、
前記表示部は、前記第４画像群に含まれる医用画像を表示し、
前記第４画像群は、前記第３画像群よりも少ない枚数の医用画像からなり、前記第２画像群における前記第１スライス厚を有する医用画像に対応するスライスに関する前記第１スライス厚を有する少なくとも１枚の医用画像と、前記第２画像群における前記第２スライス厚を有する医用画像に対応するスライスに関する前記第２スライス厚を有する少なくとも１枚の医用画像とを含むこと、
を特徴とする請求項１記載の医用画像表示装置。
【請求項５】
被検体に関する第１スライス厚を有する複数の医用画像のデータからなる第１画像群と、前記被検体に関する前記第１スライス厚より厚い第２スライス厚を有する複数の医用画像のデータからなる第２画像群とを記憶する画像記憶部と、
前記第１画像群と前記第２画像群とから第３画像群を発生する画像群発生部と、
前記第３画像群に含まれる医用画像を表示する表示部とを具備し、
前記第３画像群は、前記第１画像群よりも少ない枚数の医用画像からなり、前記第１画像群における前記第１スライス厚を有する少なくとも１枚の医用画像と前記第２画像群における前記第２スライス厚を有する少なくとも１枚の医用画像とを含むこと、
を特徴とする医用画像表示装置。
【請求項６】
前記第１画像群に含まれる医用画像に関する病症と、前記病症が拡大する可能性のある範囲とを対応付けた対応表を記憶する対応表記憶部をさらに具備し、
前記第３画像群は、前記対応表上における前記病症に対応付けられている前記範囲に含まれるスライスに関する前記第１スライス厚を有する少なくとも１枚の医用画像と、前記範囲外に含まれるスライスに関する前記第２スライス厚を有する少なくとも１枚の医用画像とからなること、
を特徴とする請求項５記載の医用画像表示装置。
【請求項７】
被検体に関する第１スライス厚を有する複数の医用画像のデータからなる第１画像群に基づいて、第２画像群を発生する画像群発生部と、
前記発生された第２画像群を記憶する画像記憶部と、
前記第２画像群に含まれる医用画像を表示する表示部とを具備し、
前記第２画像群は、前記第１画像群よりも少ない枚数の医用画像からなり、前記第１スライス厚を有する少なくとも１枚の医用画像と前記第１スライス厚よりも厚い第２スライス厚を有する少なくとも１枚の医用画像とを含むこと、
を特徴とする医用画像表示装置。
【発明の詳細な説明】
【技術分野】
【０００１】
本発明の実施形態は、医用画像を表示する医用画像表示装置に関する。
【背景技術】
【０００２】
Ｘ線コンピュータ断層撮影（Ｃｏｍｐｕｔｅｄ  Ｔｏｍｏｇｒａｐｈｙ）装置（以下、Ｘ線ＣＴ装置と呼ぶ）、および核磁気イメージング（Ｍａｇｎｅｔｉｃ  Ｒｅｓｏｎａｎｃｅ  Ｉｍａｇｉｎｇ）装置（以下、ＭＲＩ装置と呼ぶ）などの医用画像撮影装置により発生された複数の医用画像は、医用画像表示装置の表示画面にシリーズ単位で表示される。読影医等は、シリーズ単位で表示された医用画像全てに目を通す。読影医等は、シリーズに含まれる特定の医用画像に基づいて、病症および所見の位置などの所見情報を医用画像表示装置に入力する。読影医等は、上記特定の医用画像および所見情報に基づいて、医用レポートを作成する。医用レポートの作成および所見情報の入力の際に参照された医用画像（以下、所見画像と呼ぶ）が読影医等により再検討されるとき、読影医等は、シリーズに含まれる所見画像が表示されるまで、上記シリーズに含まれる医用画像に対して画像めくりの操作を行う。
【０００３】
しかしながら、シリーズに含まれる医用画像が多い場合、読影医等は、所見画像が表示されるまで、複数回にわたって画像めくりの操作を実行しなければならない。この操作は、読影医等にとって、作業負担の増大および読影効率の低下を招くことがある。一方、所見画像以外の画像を削除すれば、画像めくりの操作は不要となる。しかしながら、読影医等がシリーズに含まれる医用画像全体を把握することは困難となる。加えて、一つのスライスに対応する所見画像を参照画像として、同一患者、同一撮影範囲、同一撮影方法で取得された複数の医用画像と比較する場合、読影医等が病症全体の様子および病症の拡大を把握することは困難となる。
【先行技術文献】
【特許文献】
【０００４】
【特許文献１】特開２００８−８３８３０号公報
【発明の概要】
【発明が解決しようとする課題】
【０００５】
目的は、読影医が必要とする医用画像を医用画像表示装置に表示させることである。
【課題を解決するための手段】
【０００６】
本実施形態に係る医用画像表示装置は、被検体に関する第１スライス厚を有する複数の医用画像のデータからなる第１画像群を記憶する画像記憶部と、前記第１画像群から第２画像群を発生する画像群発生部と、前記第２画像群に含まれる医用画像を表示する表示部とを具備し、前記第２画像群は、前記第１画像群よりも少ない枚数の医用画像からなり、前記第１スライス厚を有する少なくとも１枚の医用画像と前記第１スライス厚よりも厚い第２スライス厚を有する少なくとも１枚の医用画像とを含むこと、を特徴とする。
【図面の簡単な説明】
【０００７】
【図１】第１の実施形態に係る医用画像表示装置を含むシステム構成の一例を示す図である。
【図２】第１の実施形態に係る医用画像表示装置の構成の一例を示す図である。
【図３】第１の実施形態の画像群発生部において、ひとつのシリーズに含まれる第１スライス厚を有する医用画像に基づいて、所見画像と所見周辺画像と第２スライス厚画像とからなる第２画像群を発生させる手順を示すフローチャートである。
【図４】第１の実施形態の対応表記憶部に記憶された、病症と病症が拡大する範囲との対応表の一例を示す図である。
【図５】図４における症例Ｂに関する所見画像を、病症Ｂが拡大する可能性のある範囲とともに示す図である。
【図６】第１の実施形態に係り、ひとつのシリーズに含まれる複数の医用画像のうち、所見画像を、所見との関連の薄い画像のスライスと所見周辺画像のスライスとともに示す図である。
【図７】第１の実施形態の画像記憶部に記憶された第１画像群に基づいて発生された第２画像群の一例を示す図である。
【図８】第１の実施形態の画像記憶部に記憶された第１画像群に基づいて発生された図７とは異なる第２画像群の一例を示す図である。
【図９】第１の実施形態の画像記憶部に記憶された第１画像群に含まれる所見との関連の薄い画像におけるスライス厚に関するタグ情報と、第２画像群に含まれる所見との関連の薄い画像に関するスライス厚に関するタグ情報との一例を示す図である。
【図１０】第１の実施形態における第１の変形例において、第２画像群と、第１画像群が撮影された時刻と異なる第３画像群とに基づいて、同一所見画像と同一所見周辺画像と同一第２スライス厚画像とからなる第４画像群を発生させる手順を示すフローチャートである。
【図１１】第２の実施形態の画像群発生部において、第１スライス厚を有する医用画像からなる第１画像群と第２スライス厚を有する医用画像からなる第２画像群とに基づいて、第１スライス厚を有する所見画像および所見周辺画像と、第２スライス厚を有する医用画像とを含む第３画像群を発生する手順を示すフローチャートである。
【図１２】第２の実施形態に係り、第３画像群に含まれる複数の医用画像のスライスを、第１画像群に含まれる第１スライス厚の複数の医用画像のスライスと第２画像群に含まれる第２スライス厚の複数の医用画像のスライスととともに示す図である。
【発明を実施するための形態】
【０００８】
以下、図面を参照しながら本実施形態に係わる医用画像表示装置を説明する。なお、以下の説明において、略同一の機能及び構成を有する構成要素については、同一符号を付し、重複説明は必要な場合にのみ行う。
【０００９】
（第１の実施形態）  
以下、図面を参照して、第１の実施形態を説明する。
【００１０】
図１は、第１の実施形態に係る医用画像表示装置を含むシステム構成の一例を示す図である。
【００１１】
医用画像表示装置１０４は、医用画像撮影装置１０１および医用画像保管装置１０２に対して電子的通信回線、典型的にはローカルエリアネットワーク（Ｌｏｃａｌ  Ａｒｅａ  Ｎｅｔｗｏｒｋ：以下ＬＡＮと呼ぶ）を介して接続される。なお、医用画像表示装置１０４には、図示していない画像処理装置が接続されてよい。画像処理装置は、医用画像撮影装置１０１で発生された複数の医用画像のデ−タに対してレンダリング処理などの画像処理を施すことで、３次元画像のデータや断面変換された画像のデータなどを発生する。
【００１２】
医用画像撮影装置１０１は、被検体に対して異なる位置における複数の断層像からなる画像群を発生する。複数の断層像は、同じスライス厚を有し、例えばマルチスライスＣＴにより得られる。マルチスライスとは、１回転で複数のスライスそれぞれに対応する複数の医用画像（断層像）が得られることを意味している。医用画像撮影装置１０１は、例えば、Ｘ線ＣＴ装置およびＭＲＩ装置などである。医用画像撮影装置１０１は、通信機能を有し、ＬＡＮを介してデータ通信可能となっている。医用画像撮影装置１０１は、予め設定された撮影範囲および撮影方法とに基づいて、被検体を撮影する。医用画像撮影装置１０１は、撮影された医用画像の付帯情報を付帯した医用画像のデータを、医用画像保管装置１０２に出力する。付帯情報は、ＤＩＣＯＭ（Ｄｉｇｉｔａｌ  Ｉｍａｇｉｎｇ  ａｎｄ  ＣＯｍｍｕｎｉｃａｔｉｏｎｓ  ｉｎ  Ｍｅｄｉｃｉｎｅ）規格に従って、検査日時情報、患者ＩＤ（ＩＤｅｎｔｉｆｉｅｒ）、検査ＩＤ、シリーズＩＤ、医用画像固有の番号であるイメージＩＤ、および画像属性情報などで構成されている。患者ＩＤ、検査ＩＤ、シリーズＩＤ、イメージＩＤ、および画像属性情報などの情報は、ＤＩＣＯＭ規格に従って規格化されている。患者ＩＤは、撮影された被検体を特定するための情報である。検査ＩＤは、検査内容を特定するための情報である。シリーズＩＤは、撮影された被検体の部位ごと、画像発生時刻、スライス厚、画像生成方法、被検体を撮影した画像の画像撮影条件や撮影位置、または造影剤の有無などで、発生された複数の医用画像を分類するために用いられる情報である。画像生成方法とは、例えば、医用画像撮影装置１０１により取得された投影データまたは信号データに基づいて、医用画像を再構成する方法である。ひとつのシリーズにおける複数の医用画像は、等しいスライス厚を有する。以下、一つのシリーズに含まれる複数の医用画像を画像群と呼ぶ。画像属性情報は、医用画像の種別を特定するための情報である。画像属性情報は、例えば、モダリティ名、モダリティの製造者、装置シリアル番号、および検査対象の被検体の部位を特定するための情報などである。
【００１３】
被検体に対して複数の検査が実施されている場合、それぞれの検査で発生された複数の医用画像のデータは、それぞれの検査を示す検査ＩＤを付加されて、検査ごとに分類される。また、複数の部位を撮影するなどして検査に複数のシリーズが含まれている場合、それぞれのシリーズについて発生された複数の医用画像のデータは、それぞれのシリーズを示すシリーズＩＤを付加されて、シリーズごとに分類される。すなわち、ある患者ＩＤが付帯された複数の医用画像のデータは、検査ＩＤによって検査ごとに分類される。さらにそれぞれの検査は、シリーズＩＤによって、シリーズごとに分類される。なお、上記付帯情報は、ＤＩＣＯＭ規格に基づいて説明をしたが、他の標準規格を適用してもよい。
【００１４】
医用画像保管装置１０２は、複数の医用画像を保管するための複数のハードディスクドライブ（Ｈａｒｄ  Ｄｉｓｋ  Ｄｒｉｖｅ：以下ＨＤＤと呼ぶ）やＮＡＳ（Ｎｅｔｗｏｒｋ  Ａｔｔａｃｈｅｄ  Ｓｔｏｒａｇｅ）などを有する。医用画像保管装置１０２は、医用画像撮影装置１０１により発生された医用画像のデータを、ＬＡＮを介して受信し、保管する。医用画像保管装置１０２は、医用画像表示装置１０４によりアノテーション（Ａｎｏｔａｔｉｏｎ）が付加された医用画像を、ＬＡＮを介して受信し、保管する。アノテーションとは、例えば、医用画像において着目されている位置につけられるマーカ、医用画像の所見を示す文字列、および医用画像に付けられたコメントなどの医用画像に付加する付加情報である。
【００１５】
図２は、第１の実施形態に係る医用画像表示装置１０４のブロック構成の一例を示す図である。医用画像表示装置１０４は、インターフェース部１、画像記憶部３、対応表記憶部４、入力部５、制御部７、画像群発生部９、表示部１１を有している。なお、本実施形態における医用画像表示装置１０４は、画像記憶部３を具備しない装置としても動作可能である。このとき、医用画像画像撮影装置１０１および医用画像保管装置１０２から受信された医用画像のデータは、以下で説明する制御部７による制御のもとで、表示部１１の表示画面に表示される。
【００１６】
インターフェース部１は、入力部５、ネットワーク、図示していない外部記憶装置などに関するインターフェースである。医用画像撮影装置１０１で発生された医用画像のデータ、または医用画像保管装置１０２で保管された複数の医用画像のデータは、インターフェース部１を介して、画像記憶部３に記憶される。また、本医用画像表示装置１０４で発生された複数の医用画像のデータは、ネットワークを介して医用画像保管装置１０２などの他の装置に転送可能である。
【００１７】
画像記憶部３および対応表記憶部４は、半導体集積回路で構成されたＲＡＭ（Ｒａｎｄｏｍ  Ａｃｃｅｓｓ  Ｍｅｍｏｒｙ）、半導体記憶素子であるＦｌａｓｈ  ＳＳＤ（Ｓｏｌｉｄ  Ｓｔａｔｅ  Ｄｉｓｋ）などの半導体記憶装置、ＨＤＤなどである。画像記憶部３は、後述する画像群発生部９で発生された医用画像のデータ、一つのシリーズに含まれる複数の医用画像（以下、第１画像群と呼ぶ）のデータ、後述する画像群発生部９で発生された第２画像群のデータなどを記憶する。
【００１８】
対応表記憶部４は、病症の種類と病症が拡大する可能性のある範囲（以下、拡大範囲と呼ぶ）との対応表、第１画像群に関するスライス厚（以下、第１スライス厚とよぶ）、後述する関連の薄い画像に基づいて発生される医用画像に関する第１のスライス厚より厚いスライス厚（以下、第２スライス厚と呼ぶ）、後述する束ねられる医用画像を特定するための複数のルールなどを記憶する。束ねられる医用画像を特定するためのルールとは、例えば第１のルールは、第１画像群に含まれる医用画像に関する第１スライス厚と予め設定された第２スライス厚とに基づいて、束ねられる医用画像が特定されるルールである。第２のルールは、第１画像群に属する医用画像の総数から後述する第２画像群に属する医用画像の総数を減算した数と、後述する第１画像群の範囲外スライスに関する医用画像の枚数とに基づいて、束ねられる医用画像が特定されるルールである。第３のルールは、所見画像からの距離に応じて設定された第１スライス厚より厚い複数のスライス厚と第１スライス厚とに基づいて、束ねられる医用画像を特定するルールである。
【００１９】
なお、対応表記憶部４は、第１スライス厚より厚いスライス厚を複数記憶してもよい。第１スライス厚より厚い複数のスライス厚は、例えば、所見画像からの距離に応じたスライス厚の厚さである。また、対応表記憶部４は、以下で説明する範囲外スライスに含まれるスライスを間引く間隔（以下、間引き間隔と呼ぶ）を記憶してもよい。さらに対応表記憶部４は、第１画像群に属する医用画像の総数と後述する第２画像群に属する医用画像の総数とを記憶してもよい。なお、画像記憶部３と対応表記憶部４とは、一つの記憶装置に組み込まれてもよい。
【００２０】
入力部５は、読影医等からの各種指示・命令・情報・選択・設定を制御部７に入力する。具体的には、入力部５は、シリーズ内の医用画像を選択するための画像めくりに関する指示、選択された医用画像へのアノテーションの入力、選択された医用画像に対する医用レポートの作成、読影医等により選択された特定の医用画像に対する病症、第２画像群に属する医用画像の総数の入力、および第２スライス厚の入力などを行うためのトラックボール、スイッチボタン、マウス、キーボード等の入力デバイスを有する。なお、入力デバイスは、表示画面を覆うように設けられたタッチパネルでもよい。
【００２１】
制御部７は、図示しない中央処理装置（Ｃｅｎｔｒａｌ  Ｐｒｏｃｅｓｓｉｎｇ  Ｕｎｉｔ：以下ＣＰＵと呼ぶ）を備える。制御部７は、入力部５を介して入力された所見情報などのアノテーションを、読影医等により選択された第１画像群の特定の医用画像に付加する。なお、制御部７は、入力部５を介した読影医等の指示に従って、第１画像群に含まれる特定の医用画像に関する医用レポートの作成の制御をしてもよい。制御部７は、入力された所見情報または作成された医用レポートに基づいて、被検体の病症を決定する。なお、被検体の病症は、入力部５を介した読影医等の指示により決定されてもよい。
【００２２】
画像群発生部９は、対応表記憶部４に記憶された病症と拡大範囲との対応表と、決定された病症とに基づいて、アノテーションが付加された所見画像を基準として、スライス方向に沿った拡大範囲を特定する。すなわち、拡大範囲は、所見画像を中心としてスライス方向の沿って設定される。なお、拡大範囲は、所見画像を中心とせずに、入力部５を介した読影医等の指示に従って、スライス方向に沿って任意に調整可能である。所見画像を除いた拡大範囲に含まれる複数のスライスに関する医用画像を、以下所見周辺画像と呼ぶ。所見周辺画像は、所見との関連が強いことを意味する。画像群発生部９は、特定された拡大範囲と対応表記憶部４に記憶された第１スライス厚とに基づいて、特定された拡大範囲の外に含まれるスライス（以下、範囲外スライスと呼ぶ）を特定する。範囲外スライスは、拡大範囲の外に関するスライスであるため、所見との関連が薄いスライスである。なお、第１スライス厚は、所見画像を有するシリーズに関するＤＩＣＯＭ規格の付帯情報から読み出してもよい。
【００２３】
画像群発生部９は、第１画像群の範囲外スライスに関する複数の医用画像（所見との関連が薄い画像であり、以下、第１の関連の薄い画像と呼ぶ）のうち、スライス方向に沿って束ねられる医用画像を特定する。具体的には、画像群発生部９は、対応表記憶部４に記憶された第１のルールに従って束ねられる医用画像を特定する。例えば、第１スライス厚が３ｍｍ、第２スライス厚が９ｍｍであるとする。第１のルールによれば、束ねられる医用画像は３枚に特定される。第１のルールは、束ねられる医用画像の枚数を固定するときなどに使用される。
【００２４】
画像群発生部９は、対応表記憶部４に記憶された第２のルールに従って束ねられる医用画像を特定してもよい。第２のルールは、第１画像群に含まれる医用画像の総数を１００枚、後述する第２画像群に含まれる医用画像の総数を６０枚とする。また、拡大範囲に含まれる医用画像を２０枚とする。束ねられる医用画像の総数は、１００−２０で８０枚となる。一方、束ねられた医用画像の総数は、６０−２０で、４０枚となる。束ねられる医用画像の総数と束ねられた医用画像の総数とに基づいて、束ねられる医用画像が特定される。第２のルールは、後述する第２画像群に含まれる医用画像の総数を一定値に固定するときなどに使用される。なお、画像群発生部９は、対応表記憶部４に記憶された第３のルールに従って束ねられる医用画像を特定してもよい。第３のルールは、所見画像からの距離に応じて設定された第１スライス厚より厚い複数のスライス厚と第１スライス厚とに基づいて、束ねられる医用画像を特定するルールである。第１乃至第３のルールは、適宜組み合わせることも可能である。また、第１乃至第３のルールは、入力部５を介した読影医等の指示に従って、選択されてもよい。なお、第２画像群に属する医用画像の総数は、第１画像群に属する医用画像の総数より少なく設定される。
【００２５】
画像群発生部９は、特定された医用画像を束ねることにより、第１スライス厚より厚いスライス厚を有する医用画像を発生する。以下、説明を簡単にするため、画像群発生部９は、第１のルールに従って、第２スライス厚を有する医用画像（以下第２スライス厚画像と呼ぶ）を発生するものとする。なお、画像群発生部９は、第１の関連の薄い画像と入力部５を介して読影医等により入力された第２スライス厚とに基づいて、第２スライス厚画像を発生してもよい。また、画像群発生部９は、第２および第３のルールに従って、所見画像からの距離に応じて厚みの異なるスライス厚と第１の関連の薄い画像とに基づいて、第１スライス厚より厚い医用画像を発生してもよい。
【００２６】
具体的には、画像群発生部９は、まず、束ねられる医用画像の枚数（以下、束ねる枚数と呼ぶ）を決定する。画像群発生部９は、束ねる枚数と束ねられる医用画像の濃淡とを用いて、平均処理を実行する。平均処理は、例えば、束ねられる医用画像における各画素からスライス方向に沿った複数の画素の画素値に対する加算平均などである。なお、画素値の替わりにＣＴ値などを用いてもよい。なお、範囲外スライスにおけるスライス厚が所見画像からスライス方向に沿った距離に応じて厚くなる場合、画像群発生部９は、複数のスライス厚それぞれに含まれる束ねる枚数を、複数のスライス厚それぞれに対して決定する。画像群発生部９は、決定された束ねる枚数と束ねられる医用画像の濃淡に対して、平均処理を実行する。
【００２７】
画像群発生部９は、画像記憶部３に記憶された所見画像と所見周辺画像と発生された第２スライス厚画像とから構成される第２画像群を発生する。画像群発生部９は、発生された第２画像群を画像記憶部３に記憶させる。画像群発生部９は、第２画像群に含まれる医用画像に対して、スライス方向に沿った並び順を決定する。以下、画像群発生部９で決定される並び順の具体例を説明する。画像群発生部９は、所見画像と所見周辺画像との画像番号に対して、第１画像群における所見画像と所見周辺画像との画像番号を使用する。画像群発生部９は、第２スライス厚画像の発生に寄与した第１の関連の薄い画像（以下寄与画像と呼ぶ）の画像番号のうち最も小さい画像番号を、発生された第２スライス厚画像の画像番号として決定する。なお、画像群発生部９は、寄与画像の画像番号のうち最も大きい画像番号を、この第２スライス厚画像の画像番号として決定してもよい。
【００２８】
画像群発生部９は、所見画像と所見周辺画像と第２スライス厚画像とを画像番号順に並べることで、所見画像と所見周辺画像と第２スライス厚画像とに対するスライス方向に沿った並び順を決定する。画像群発生部９は、第２画像群に対して新たなシリーズ番号を付与する。画像群発生部９は、第２画像群とこの第２画像群に含まれる画像の並び順とを画像記憶部３に記憶させる。
【００２９】
なお、画像群発生部９は、第１画像群における第１の関連の薄い画像を、対応表記憶部４に記憶された間引き間隔に従って、間引いてもよい。この間引き後、画像群発生部９は、間引かれた後に残った医用画像と所見画像と所見周辺画像とからなる間引き第２画像群を発生する。画像群発生部９は、間引き第２画像群に含まれる医用画像にスライス方向に沿った画像番号を付与する。画像群発生部９は、間引かれた後に残った医用画像と所見画像と所見周辺画像とを画像番号順に並べることで、間引かれた後に残った医用画像と所見画像と所見周辺画像とに対するスライス方向に沿った並び順を決定する。画像群発生部９は、間引き第２画像群に対して新たなシリーズ番号を付与する。画像群発生部９は、間引き第２画像群とこの間引き第２画像群に含まれる医用画像の並び順とを画像記憶部３に記憶させる。
【００３０】
なお、画像群発生部９は、医用画像保管装置１０２または医用画像撮影装置１０１から、入力部５を介した読影医等の指示に従って医用画像を取り込み、上記処理を実行してもよい。画像群発生部９は、第２画像群または間引き第２画像群が画像記憶部３に記憶されるとき、第１画像群に含まれる医用画像を画像記憶部３から削除してもよい。この時画像群発生部９は、第１画像群が有するシリーズ番号を第２画像群または間引き第２画像群に付与してもよい。
【００３１】
表示部１１は、画像記憶部３から読み出された第１画像群と第２画像群とのうち少なくとも一方に含まれる医用画像を表示画面に表示する。なお、表示部１１は、複数の表示画面を有していてもよい。
【００３２】
（動作）  
次に、本医用画像表示装置１０４において、図３に示すフローチャートを参照しながら、所見画像と所見周辺画像と第２スライス厚画像とからなる第２画像群を発生させる動作について説明する。
【００３３】
入力部５を介した読影医等の指示に従って、第１画像群に含まれる特定の医用画像に対して、アノテーションなどの所見情報が入力される（ステップＳａ１）。なお、ステップＳａ１は、入力部５を介した読影医等の指示に従って、第１画像群に含まれる特定の医用画像に対する医用レポートを作成させる処理でもよい。入力された所見情報または作成された医用レポートに基づいて、被検体の病症が決定される。決定された病症と対応表記憶部４に記憶された対応表とに基づいて、決定された病症に関連付けられている拡大範囲が特定される（ステップＳａ２）。
【００３４】
図４は、病症と拡大範囲との対応表の一例を示す図である。図４における対応表は、所見情報が入力された医用画像または医用レポート作成時に参照された画像である所見画像を中心として、病症Ａが拡大する可能性のある範囲（拡大範囲）が８ｃｍ、病症Ｂが拡大する可能性のある範囲（拡大範囲）が３ｃｍであることを示している。
【００３５】
特定された拡大範囲と所見画像とに基づいて、第１画像群に含まれる複数のスライスのうち、範囲外スライスが特定される（ステップＳａ３）。図５は、図４の対応表における症例Ｂに関する所見画像を、病症Ｂが拡大する可能性のある範囲（図５中の３ｃｍ）とともに示す図である。なお、拡大範囲は、入力部５を介して読影医等により適宜変更可能である。
【００３６】
特定された範囲外スライスに関する医用画像のうち、第１スライス厚より厚いスライス厚で束ねられる医用画像が、第１のルール乃至第３のルールに従って特定される（ステップＳａ４）。図６は、ひとつのシリーズに含まれる複数の医用画像のうち、所見画像を、所見周辺画像（図６中の病症が拡大する可能性のある範囲に位置する医用画像に対応）のスライスと第１の関連の薄い画像（図６中の拡大範囲外に含まれる医用画像に対応）のスライスとともに示す図である。例えば、第１スライス厚を３ｍｍ、拡大範囲を３ｃｍとすると、所見画像を中心としてスライス方向に沿った３ｃｍ÷３ｍｍ＝１０枚の医用画像は、第２スライス厚画像の発生には使用されない。なお、第１の関連の薄い画像が対応表記憶部３に記憶された間引き間隔に従って第１画像群から間引かれる処理は、上記ステップＳａ３の処理後に実行される。
【００３７】
特定された医用画像により、束ねる枚数が特定される。例えば、第１画像群に属する医用画像の第１スライス厚が３ｍｍ、第２スライス厚が９ｍｍの場合、束ねる枚数は３枚である。なお、第１画像群に属する医用画像の総数と予め設定された第２画像群における医用画像の総数とに基づいて、束ねる枚数が特定されてもよい（第２のルール）。なお、所見画像からスライス方向に沿った距離に応じて厚くなるスライス厚に基づいて（第３のルール）、複数のスライス厚それぞれに対する束ねる枚数が、それぞれ特定されてもよい。特定された医用画像を束ねることにより、第１スライス厚より厚いスライス厚を有する医用画像が発生される。具体的には、束ねる枚数と束ねられる医用画像の濃淡に対して、平均処理が実行される。平均処理により第１スライス厚より厚い第２スライス厚を有する第２スライス厚画像が発生される（ステップＳａ５）。なお、第１スライスより厚い複数のスライス厚それぞれに対応して束ねる枚数が決定された場合、決定された束ねる枚数と特定された第１の関連の薄い画像に対して、平均処理が実行される。実行された平均処理に基づいて、第１のスライス厚より厚い複数のスライス厚それぞれに対応する医用画像が発生される。
【００３８】
所見画像と所見周辺画像と第２スライス厚画像とからなる第２画像群が発生される（ステップＳａ６）。なお、第１スライス厚より厚い複数のスライス厚が設定された場合、複数のスライス厚それぞれに対応する医用画像と所見画像と所見周辺画像とからなる第２画像群が発生される。また、第１画像群から第１の関連の薄い画像を間引き間隔に従って間引かれる場合、間引かれた後に残った医用画像と所見画像と所見周辺画像とからなる間引き第２画像群が発生されてもよい。
【００３９】
第２画像群に含まれる複数の医用画像の並び順が決定される（ステップＳａ７）。図７は、第１画像群と第１のルールとに基づいて発生された第２画像群の一例を示す図である。例えば、図７における第２スライス厚は、第１スライス厚２枚分の厚みを有する。図８は、第１画像群と第３のルールとに基づいて発生された図７とは異なる第２画像群の一例を示す図である。図８と図７との相違は、図７における第２スライス厚は一定であるのに対し、図８における第１スライス厚より厚いスライス厚は所見画像からの距離に応じて厚みが変わることである。
【００４０】
第２画像群は、決定された並び順とともに画像記憶部３に記憶される。なお、第２画像群または間引き第２画像群が決定された並び順とともに画像記憶部３に記憶されるとき、画像記憶部３に記憶された第１画像群は、削除されてもよい。図９は、第１画像群に含まれる第１の関連の薄い画像におけるスライス厚に関するタグ情報と、第２画像群に含まれる第２スライス厚画像におけるスライス厚に関するタグ情報との一例を示す図である。図９の第２スライス厚画像における厚みに関するタグ情報（３ｍｍ）は、第１画像群における第１の関連の薄い画像に関するスライス厚のタグ情報（厚さ１ｍｍ）とは異なる。
【００４１】
（第１の変形例）  
第１の実施形態との相違は、第１の実施形態で発生された第２画像群に基づいて、第１画像群が撮影された時刻と異なる第３画像群から、第３画像群よりも少ない枚数の医用画像からなり、スライス厚の異なる画像を有する第４画像群を発生させる点である。
【００４２】
第１の変形例に係る医用画像表示装置の構成は、第１の実施形態と同様である。  
以下、第１の変形例と第１の実施形態との構成要素において、異なる動作を行う構成要素ついて説明する。また、説明を簡便にするため、第２画像群に含まれる複数の医用画像は、所見画像と所見周辺画像と第２スライス厚画像とから構成されるものとする。なお、第２画像群に含まれる複数の医用画像は、所見画像と所見周辺画像と第１スライス厚より厚い複数のスライス厚を有する医用画像とから構成されてもよい。また、第２画像群の替わりに間引き第２画像群であってもよい。
【００４３】
画像記憶部３は、第１画像群における医用画像の撮影時刻と異なる第１スライス厚を有する複数の医用画像のデータからなる第３画像群を記憶する。具体的には、第３画像群は、第１画像群における被検体と同じ被検体、第１画像群における撮影範囲と同じ撮影範囲、第１画像群における撮影方法と同じ撮影方法で、医用画像撮影装置１０１により取得された第１スライス厚を有する複数の医用画像のデータからなる。画像記憶部３は、第２画像群に含まれる所見画像に対応するスライス（以下、所見スライスと呼ぶ）と、第２画像群に含まれる所見周辺画像に対応するスライス（以下、所見周辺スライスと呼ぶ）と、第１画像群における範囲外スライスとを記憶する。これらのスライスは、被検体に対する医用画像の位置を示す。なお、これらスライスは、ＤＩＣＯＭ規格の医用画像の付帯情報であってもよい。
【００４４】
画像群発生部９は、所見スライスと同じスライスに関する第３画像群に含まれる医用画像を特定する。なお、所見スライスと同じスライスに関する第３画像群に含まれる医用画像が存在しない場合、画像群発生部９は、所見スライスに最も近いスライスに関する第３画像群に含まれる医用画像を特定してもよい。以下、所見スライスと同じもしくは最も近いスライスに関する特定された医用画像を、同一所見画像と呼ぶ。画像群発生部９は、所見周辺スライスと同じスライスに関する第３画像群に含まれる医用画像を特定する。なお、所見周辺スライスと同じスライスに関する第３画像群に含まれる医用画像が存在しない場合、画像群発生部９は、所見周辺スライスに最も近いスライスに関する第３画像群に含まれる医用画像を特定してもよい。以下、所見周辺スライスと同じもしくは最も近いスライスに関する特定された医用画像を、同一所見周辺画像と呼ぶ。画像群発生部９は、第１画像群における範囲外スライスと同じスライスに関する第３画像群に含まれる医用画像を特定する。なお、第１画像群における範囲外スライスと同じスライスに関する第３画像群に含まれる医用画像が存在しない場合、画像群発生部９は、第１画像群における範囲外スライスに最も近いスライスに関する第３画像群に含まれる医用画像を特定してもよい。以下、第１画像群における範囲外スライスと同じもしくは最も近いスライスに関する特定された医用画像を、第２の関連の薄い画像と呼ぶ。
【００４５】
画像群発生部９は、第３画像群の範囲外スライスに関する第２の関連の薄い画像のうち、スライス方向に沿って束ねられる医用画像を特定する。具体的には、画像群発生部９は、第２画像群に属する第２スライス厚画像の発生に寄与した第１の関連の薄い画像に対応した複数のスライスおよびその枚数（束ねる枚数）を特定する。画像群発生部９は、特定された複数のスライスそれぞれに対応した第２の関連の薄い画像（束ねられる医用画像）を特定する。画像群発生部９は、束ねられる医用画像を束ねる枚数で束ねることにより、第２画像群の第２スライス厚画像の第２スライス厚と同じスライス厚を有する医用画像（以下同一第２スライス厚画像と呼ぶ）を発生する。
【００４６】
具体的には、画像群発生部９は、特定された束ねられる医用画像と束ねる枚数とを用いて、平均処理を実行する。画像群発生部９は、第２画像群の第２スライス厚画像を発生させた平均処理と同じ処理を実行する。なお、範囲外スライスにおけるスライス厚が所見画像からスライス方向に沿った距離に応じて厚くなる場合、画像群発生部９は、複数のスライス厚それぞれに対する束ねる枚数を、複数のスライス厚それぞれに対して決定する。画像群発生部９は、特定された束ねる枚数と束ねられる医用画像とを用いて、平均処理を実行する。画像群発生部９は、同一所見画像と同一所見周辺画像と同一第２スライス厚画像とから構成される第４画像群を発生する。画像群発生部９は、発生された第４画像群を画像記憶部３に記憶させる。
【００４７】
画像群発生部９は、第４画像群に含まれる画像に対して、スライス方向に沿った並び順を、第２画像群と対応付けて決定する。具体的には、画像群発生部９は、第２画像群の所見画像と第４画像群の同一所見画像、第２画像群の所見周辺画像と第４画像群の同一所見周辺画像、第２画像群の第２スライス厚画像と第４画像群の同一第２スライス厚画像について、それぞれ対応つけて並び順を決定する。画像群発生部９は、第４画像群とこの第４画像群に含まれる医用画像の並び順とを画像記憶部３に記憶させる。なお、画像群発生部９は、医用画像撮影装置１０１または医用画像保管装置１０２から、入力部５を介した読影医等の指示に従って医用画像を取り込み、上記処理を実行してもよい。
【００４８】
（動作）  
次に、医用画像表示装置１０４において、図１０に示すフローチャートを参照しながら、第１の実施形態で発生された第２画像群とに基づいて、第１画像群が撮影された時刻と異なる第３画像群から、第３画像群よりも少ない枚数の医用画像からなり、スライス厚の異なる画像を有する第４画像群を発生させる動作について説明する。
【００４９】
画像記憶部３に記憶された第３画像群と、所見スライスと、所見周辺スライスと、第１画像群における範囲外スライスとが、画像記憶部３から読み出される（ステップＳｂ１）。所見スライスと同じスライスに関する第３画像群の医用画像（同一所見画像）が特定される（ステップＳｂ２）。第２画像群に含まれる所見周辺スライスと同じスライスに関する第３画像群の医用画像（同一所見周辺画像）が特定される（ステップＳｂ３）。第３画像群に含まれる複数のスライスのうち、所見スライスと所見周辺スライスとに基づいて、範囲外スライスが特定される（ステップＳｂ４）。特定された範囲外スライスに関する医用画像のうち、第１乃至第３のルールに基づいて、スライス方向に沿って束ねられる医用画像が特定される（ステップＳａ４）。特定された医用画像を束ねることにより、第２スライス厚を有する同一第２スライス厚画像が発生される（ステップＳａ５）。同一所見画像と同一所見周辺画像と同一第２スライス厚画像とからなる第４画像群が発生される（ステップＳｂ７）。
【００５０】
第２画像群における画像の並び順が、画像記憶部３から読み出される（ステップＳｂ８）。発生された第４画像群に含まれるスライス方向に沿った画像の並び順が、所見画像と同一所見画像、所見周辺画像と同一所見画像、および第２スライス厚画像と同一第２スライス厚画像とをそれぞれ対応付けることで決定される（ステップＳｂ９）。第４画像群は、決定された並び順とともに画像記憶部３に記憶される（ステップＳｂ１０）。なお、第４画像群が画像記憶部３に決定された並び順とともに記憶されるとき、画像記憶部３に記憶された第３画像群は、削除されてもよい。
【００５１】
第１の実施形態及び第１の変形例の効果をまとめると以下の通りである。  
本医用画像表示装置１０４によれば、第１画像群の所見画像に基づく病症の決定と、病症と拡大範囲との対応表と、第１スライス厚を有する医用画像からなる第１画像群と第１乃至第３のルールとに基づいて、第１スライス厚より厚い第２スライス厚を有する第２スライス厚画像が発生される。発生された第２スライス厚画像と所見画像と所見周辺画像とからなる第２画像群が発生される。発生された第２画像群に含まれる医用画像の総数は、第１画像群に含まれる医用画像の総数に比べて減少させることができる。これにより、読影医等が再度第１画像群の所見画像を表示させるとき、第２画像群を使用することで、シリーズ全体の画像の構成を把握でき、かつ画像めくりの操作を減らすことが可能となる。従って、読影医等にとって、作業負担が減少し、読影効率が向上する。なお、第２画像群が並び順とともに画像記憶部３に記憶されるとき、画像記憶部３に記憶された第１画像群が削除されると、画像記憶部３における記憶容量の節約が可能となる。
【００５２】
加えて、本医用画像表示装置１０４によれば、撮影時刻が異なる第３画像群に対して、第２画像群と同様な処理を実行させることで、第４画像群を発生させることができる。これにより、同じ被検体、同じ撮影範囲、同じ撮影条件を有する医用画像に対して再度所見画像と所見周辺画像と第２スライス厚などの設定を再度実行する必要がなくなる。結果として、入力部５を介した読影医等の作業負担が減少する。さらに、読影医等にとって、被検体の病症の経時変化に対する詳細な観察が可能となり、病症経過の読影効率が向上する。なお、第４画像群が並び順とともに画像記憶部３に記憶されるとき、画像記憶部３に記憶された第３画像群が削除されると、画像記憶部３における記憶容量の節約が可能となる。
【００５３】
（第２の実施形態）  
以下、図面を参照して、第２の実施形態を説明する。  
第１の実施形態との相違は、第１画像群と同じ被検体に関する第１スライス厚より厚い第２スライス厚を有する複数の医用画像のデータと、第１画像群とに基づいて、第１スライス厚を有する画像と第２スライス厚を有する画像とからなる複数の医用画像のデータを発生することである。
【００５４】
以下、第２の実施形態と第１の実施形態との構成要素において、異なる動作を行う構成要素について説明する。
【００５５】
画像記憶部３は、第１スライス厚を有する複数の医用画像のデータ（第１画像群）と第１スライス厚より厚い第２スライス厚を有する複数の医用画像のデータ（以下、第２画像群と呼ぶが、第１の実施形態における第２画像群とは関係がない）とを記憶する。例えば、第１画像群と第２画像群とは、被検体に関する一つの検査における医用画像撮影装置１０１の画像再構成により発生される。なお、画像記憶部３は、第１スライス厚より厚い複数のスライス厚それぞれから構成される複数の画像群を記憶してもよい。第２画像群に含まれる医用画像の総数は、第１画像群に含まれる医用画像の総数より少ない。なお、第１画像群と第２画像群とは、インターフェース部１を介して、医用画像撮影装置１０１から取得してもよい。
【００５６】
制御部７は、入力部５を介して入力された所見情報などのアノテーションを、読影医等により選択された第１画像群の特定の医用画像（所見画像）に付加する。なお、制御部７は、入力部５を介した読影医等の指示に従って、第１画像群に含まれる所見画像に関する医用レポートを作成してもよい。制御部７は、入力された所見情報または作成された医用レポートに基づいて、被検体の病症を決定する。なお、被検体の病症は、入力部５を介した読影医等の指示により決定されてもよい。
【００５７】
画像群発生部９は、第１画像群に含まれる複数の医用画像から、所見画像を特定する。画像群発生部９は、対応表記憶部４に記憶された病症と拡大範囲との対応表と、決定された病症とに基づいて、所見画像を基準としてスライス方向に沿った拡大範囲を特定する。画像群発生部９は、特定された拡大範囲と対応表記憶部４に記憶された第１スライス厚とに基づいて、特定された拡大範囲に含まれる医用画像（所見周辺画像）を特定する。なお、第１スライス厚は、所見画像を有するシリーズに関するＤＩＣＯＭ規格の付帯情報から読み出してもよい。画像群発生部９は、所見画像と特定された拡大範囲とに基づいて、第２画像群に含まれる複数のスライスのうち、拡大範囲の外に位置する範囲外スライスを特定する。画像群発生部９は、第２画像群から範囲外スライスに関する医用画像（以下、抽出画像と呼ぶ）を抽出する。
【００５８】
画像群発生部９は、特定された第１画像群の所見画像および所見周辺画像と、抽出画像とからなる第３画像群（第１の変形例における第３画像群とは関係がない）を発生する。画像群発生部９は、発生された第３画像群を画像記憶部３に記憶させる。なお、画像群発生部９は、所見画像からスライス方向に沿った距離に応じてスライス厚が厚くなるように、複数の画像群から範囲外スライスに関する医用画像を抽出してもよい。このとき、画像群発生部９は、所見画像と所見周辺画像と、所見画像からスライス方向に沿った距離に応じてスライス厚が厚くなる複数の医用画像とからなる第３画像群を発生させることも可能である。
【００５９】
画像群発生部９は、第３画像群に含まれる複数の医用画像に対して、スライス方向に沿った並び順を決定する。具体的には、画像群発生部９は、第１画像群における所見画像の画像番号と所見周辺画像の画像番号とを、第３画像群における所見画像の画像番号と所見周辺画像の画像番号としてそれぞれ決定する。画像群発生部９は、第２画像群から抽出された抽出画像の画像番号を、スライス方向に沿った番号に変更する。画像群発生部９は、所見画像と所見周辺画像と抽出画像とを画像番号順に並べることで、所見画像と所見周辺画像と抽出画像とに対するスライス方向に沿った並び順を決定する。画像群発生部９は、第３画像群とこの第３画像群に含まれる画像の並び順とを画像記憶部３に記憶させる。なお、画像群発生部９は、第３画像群と第３画像群の画像の並び順とが画像記憶部３に記憶されるとき、画像記憶部３に記憶された第１画像群と第２画像群とを削除してもよい。また、画像群発生部９は、医用画像撮影装置１０１または医用画像保管装置１０２から、入力部５を介した読影医等の指示に従って医用画像を取り込み、上記処理を実行してもよい。
【００６０】
（動作）  
次に、本医用画像表示装置１０４において、図１１に示すフローチャートを参照しながら、第１画像群と同じ被検体に関する第１スライス厚より厚い第２スライス厚を有する複数の医用画像のデータ（第２画像群）と、第１画像群とに基づいて、第１スライス厚を有する画像と第２スライス厚を有する画像とからなる複数の医用画像のデータ（第３画像群）を発生させる動作について説明する。
【００６１】
図１１におけるステップＳａ１乃至ステップＳａ２については、図３の第１の実施形態におけるフローチャートと同じ処理であるので省略する。ステップＳａ２の後、所見画像と特定された拡大範囲とに基づいて、第２画像群における範囲外スライスが特定される（ステップＳｃ３）。第２画像群から、範囲外スライスに関する医用画像（抽出画像）が抽出される。（ステップＳｃ４）。所見画像と所見周辺画像と抽出画像とからなる第３画像群が発生される（ステップＳｃ５）。発生された第３画像群に含まれる複数の医用画像に関して、スライス方向に沿った画像の並び順が決定される（ステップＳｃ６）。第３画像群に含まれる医用画像と、決定された並び順とが対応づけられて、画像記憶部３に記憶される（ステップＳｃ７）。なお、第３画像群が画像記憶部３に決定された並び順とともに記憶されるとき、画像記憶部３に記憶された第１画像群および第２画像群は、削除されてもよい。
【００６２】
図１２は、第３画像群に含まれる複数の医用画像のスライスを、第１画像群に含まれる第１スライス厚の複数の医用画像のスライスと第２画像群に含まれる第２スライス厚の複数の医用画像のスライスとともに示す図である。図１２におけるＡの範囲（拡大範囲）に属する医用画像は、第１画像群における所見画像と所見周辺画像とを示している。図１２におけるＢおよびＣの範囲に属する医用画像は、第２画像群における抽出画像を示している。
【００６３】
第２の実施形態の効果をまとめると以下の通りである。  
本医用画像表示装置１０４によれば、第１スライス厚を有する複数の医用画像からなる第１画像群から所見画像と所見周辺画像とを特定する。第１スライス厚より厚い第２スライス厚を有する複数の医用画像からなる第２画像群から、範囲外スライスに関する医用画像が抽出される。第１スライス厚を有する所見画像および所見周辺画像と第２画像群から抽出された医用画像とからなる第３画像群が発生される。これにより、読影医等が再度第１画像群の所見画像を表示させるとき、第３画像群を使用することで、画像めくりの操作の回数を減らすことが可能となる。従って、読影医等の作業負担が減少し、読影効率が向上する。なお、第３画像群が画像記憶部３に決定された並び順とともに記憶されるとき、画像記憶部３に記憶された第１画像群および第２画像群が削除されると、画像記憶部３における記憶容量の節約が可能となる。
【００６４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６５】
１…インターフェース部、３…画像記憶部、４…対応表記憶部、５…入力部、７…制御部、９…画像群発生部、１１…表示部、１０１…医用画像撮影装置、１０２…医用画像保管装置、１０４…医用画像表示装置
【図１】
2012040044.tif 000003
【図２】
2012040044.tif 000004
【図３】
2012040044.tif 000005
【図４】
2012040044.tif 000006
【図５】
2012040044.tif 000007
【図６】
2012040044.tif 000008
【図７】
2012040044.tif 000009
【図８】
2012040044.tif 000010
【図９】
2012040044.tif 000011
【図１０】
2012040044.tif 000012
【図１１】
2012040044.tif 000013
【図１２】
2012040044.tif 000014